(57)【要約】  【課題】  使用者自身によって入力される任意の加速度のデータパターンに、所望の動作モードを対応付けて登録することができる携帯端末装置および携帯端末装置の動作制御方法を提供すること。  【解決手段】  操作部２０を操作することによって、ＣＰＵ１８が前記加速度データと動作モードを対応付けて登録する登録モードを開始させると、使用者は携帯端末装置を任意の動きを入力し、加速度検出部７は、その動きに応じた加速度を検出して加速度データを出力し、Ａ／Ｄ変換器１７によってデジタルデータに変換する。そして、操作部２０によってその加速度データに対応させる所望の動作モードが選択されると、ＣＰＵ１８は、デジタル変換された加速度データと選択された動作モードとを対応付けて記憶部１９の加速度パターン登録部１９ｂへ登録する。【選択図】  図１
2005167777.tif 000002
【特許請求の範囲】
【請求項１】
装置筐体に加わる加速度を検出して加速度データを出力する加速度検出手段と、
前記加速度データに対応させる動作モードを指定する指示が入力される動作モード入力手段と、
前記加速度検出手段により出力された加速度データと、前記指定された動作モードとを対応付けて登録する登録手段と、
を備える携帯端末装置。
【請求項２】
請求項１記載の携帯端末装置であって、
前記加速度検出手段により出力された加速度データのパターンと、前記登録手段に登録された加速度データのパターンとを比較し、前記出力された加速度データのパターンに所定の誤差範囲内で最も近いパターンを有する前記登録された加速度データに対応付けられた動作モードを実行する動作モード実行手段をさらに備える携帯端末装置。
【請求項３】
請求項２記載の携帯端末装置であって、
前記加速度パターンに対応付けられた動作モードを実行する実行モードを指定する指示が入力される実行モード入力手段をさらに備え、
前記動作モード実行手段は、前記実行モードにおいて前記加速度検出手段により出力された加速度データに基づいて前記動作モードを実行するものである携帯端末装置。
【請求項４】
請求項１ないし３のいずれか一項記載の携帯端末装置であって、前記加速度データと動作モードとを対応付けて登録する登録モードを指定する指示が入力される登録モード入力手段をさらに備える携帯端末装置。
【請求項５】
請求項４記載の携帯端末装置であって、
第１の筐体と、第２の筐体と、前記第１の筐体と前記第２の筐体とを開閉可能に連結した連結部とをさらに備え、
前記登録モード入力手段は前記登録モードを指定するための操作部を有し、
前記操作部は、前記第１の筐体および前記第２の筐体が開いている状態および閉じている状態のいずれにおいても露出する位置に設けられる携帯端末装置。
【請求項６】
装置筐体に加わる加速度を検出して加速度データを出力するステップと、
加速度データと対応させる動作モードを指定する指示を入力するステップと、
前記加速度データと、前記指定された動作モードとを対応付けて登録するステップと、
を備える携帯端末装置の動作制御方法。
【請求項７】
請求項６記載の携帯端末装置の動作制御方法であって、
出力された加速度データのパターンと、前記登録手段に登録された加速度データのパターンとを比較するステップと、
前記出力された加速度データのパターンに所定の誤差範囲内において最も近いパターンを有する前記登録された加速度データに対応付けられた動作モードを実行するステップと、
をさらに備える携帯端末装置の動作制御方法。
【請求項８】
請求項７記載の携帯端末装置の動作制御方法であって、
前記加速度パターンに対応付けられた動作モードを実行する実行モードを指定する指示を入力するステップをさらに備え、
前記実行モードにおいて前記加速度検出手段により出力された加速度データに基づいて前記動作モードを実行するものである携帯端末装置の動作制御方法。
【請求項９】
請求項６ないし８のいずれか一項記載の携帯端末装置の動作制御方法であって、
前記加速度データと動作モードとを対応付けて登録する登録モードを指定する指示が入力するステップをさらに備える携帯端末装置の動作制御方法。
【請求項１０】
コンピュータに、請求項６ないし９のいずれか一項記載の各ステップを実行させるための動作制御プログラム。
【発明の詳細な説明】
【技術分野】
【０００１】
本発明は、装置筐体に加わる加速度を検出し、検出された加速度に対応した動作が可能な携帯端末装置および携帯端末装置の動作制御方法に関するものである。
【背景技術】
【０００２】
従来、装置筐体に加わる加速度を検出し、検出された加速度に対応した動作を行う携帯端末装置の例として、加速度検出手段と、加速度解析手段と、類似化した加速度パターン型当を記憶する第１の記憶手段と、動作モードを記憶する第２の記憶手段と、実測加速度パターンと類似化した加速度パターンとの対応を判別する判別手段と、その加速度パターンと関係付けられた動作モードを実施させる制御手段を備えた携帯電話機があった（例えば、特許文献１）。
【０００３】
しかしながら、上記の携帯電話機にあっては、類型化した複数の加速度パターンとそれに関連づけられた特定の動作モードが携帯電話機に予め記憶されているものである。したがって、この携帯電話機の使用者は、記憶されている加速度パターンそれぞれを実現するための具体的な動きをマニュアル等を参照して習得する必要があり、習得することが面倒であるばかりでなく、マニュアル等から動かす方向や速度を正確に理解する事は困難であるため、使用者が試行錯誤する場合もあった。
【特許文献１】特開２００１−１４４８５３号公報
【発明の開示】
【発明が解決しようとする課題】
【０００４】
本発明は、上記従来の事情に鑑みてなされたものであって、使用者自身によって入力される任意の加速度のデータパターンに、所望の動作モードを対応付けて登録することができる携帯端末装置および携帯端末装置の動作制御方法を提供することを目的とする。
【課題を解決するための手段】
【０００５】
本発明の携帯端末装置は、
装置筐体に加わる加速度を検出して加速度データを出力する加速度検出手段と、
前記加速度データに対応させる動作モードを指定する指示が入力される動作モード入力手段と、
前記加速度検出手段により出力された加速度データと、前記指定された動作モードとを対応付けて登録する登録手段と、
を備える。
【０００６】
この構成により、使用者自身によって入力される任意の加速度のデータパターンに、所望の動作モードを対応付けて登録することができる。
【０００７】
また、本発明の携帯端末装置は、
前記加速度検出手段により出力された加速度データのパターンと、前記登録手段に登録された加速度データのパターンとを比較し、前記出力された加速度データのパターンに所定の誤差範囲内で最も近いパターンを有する前記登録された加速度データに対応付けられた動作モードを実行する動作モード実行手段をさらに備える。
【０００８】
この構成により、使用者自身によって登録した加速度パターンを入力することで、所望の動作モードを実行することができる。
【０００９】
また、本発明の携帯端末装置は、前記加速度パターンに対応付けられた動作モードを実行する実行モードを指定する指示が入力される実行モード入力手段をさらに備え、
前記動作モード実行手段は、前記実行モードにおいて前記加速度検出手段により出力された加速度データに基づいて前記動作モードを実行するものである。
【００１０】
この構成により、実行モード入力手段に実行モード指定指示を入力して実行モードを実施し、加速度検出手段により出力された加速度データに基づいて動作モードを実行することができる。
【００１１】
また、本発明の携帯端末装置は、前記加速度データと動作モードとを対応付けて登録する登録モードを指定する指示が入力される登録モード入力手段をさらに備える。
【００１２】
この構成により、登録モード入力手段に登録モード指定指示を入力して登録モードを実施し、加速度検出手段により出力された加速度データと、指定された動作モードとを対応付けて登録することができる。
【００１３】
また、本発明の携帯端末装置は、第１の筐体と、第２の筐体と、前記第１の筐体と前記第２の筐体とを開閉可能に連結した連結部とをさらに備え、
前記登録モード入力手段は前記登録モードを指定するための操作部を有し、
前記操作部は、前記第１の筐体および前記第２の筐体が開いている状態および閉じている状態のいずれにおいても露出する位置に設けられる。
【００１４】
この構成により、開閉可能な携帯端末装置においても、開いている状態および閉じている状態のいずれの状態においても、実行モードを行うことができる。
【００１５】
本発明の携帯端末装置の動作制御方法は、装置筐体に加わる加速度を検出して加速度データを出力するステップと、
加速度データと対応させる動作モードを指定する指示を入力するステップと、
前記加速度データと、前記指定された動作モードとを対応付けて登録するステップと、
を備える。
【００１６】
この方法により、使用者自身によって入力される任意の加速度のデータパターンに、所望の動作モードを対応付けて登録することができる。
【００１７】
また、本発明の携帯端末装置の動作制御方法は、出力された加速度データのパターンと、前記登録手段に登録された加速度データのパターンとを比較するステップと、
前記出力された加速度データのパターンに所定の誤差範囲内において最も近いパターンを有する前記登録された加速度データに対応付けられた動作モードを実行するステップと、
をさらに備える。
【００１８】
この方法により、使用者自身によって登録した加速度パターンを入力することで、所望の動作モードを実行することができる。
【００１９】
また、本発明の携帯端末装置の動作制御方法は、前記加速度パターンに対応付けられた動作モードを実行する実行モードを指定する指示を入力するステップをさらに備え、
前記実行モードにおいて前記加速度検出手段により出力された加速度データに基づいて前記動作モードを実行するものである。
【００２０】
この方法により、実行モード指定指示を入力して実行モードを実施し、加速度検出手段により出力された加速度データに基づいて動作モードを実行することができる。
【００２１】
また、本発明の携帯端末装置の動作制御方法は、前記加速度データと動作モードとを対応付けて登録する登録モードを指定する指示が入力するステップをさらに備える。
【００２２】
この方法により、登録モード指定指示を入力して登録モードを実施し、加速度検出手段により出力された加速度データと、指定された動作モードとを対応付けて登録することができる。
【００２３】
また、本発明は、コンピュータに、前記動作制御方法の各ステップを実行させるための動作制御プログラムを提供するものである。
【００２４】
このプログラムにより、使用者自身によって入力される任意の加速度のデータパターンに、所望の動作モードを対応付けて登録することができる。
【発明の効果】
【００２５】
本発明によれば、使用者自身によって入力される任意の加速度のデータパターンに、所望の動作モードを対応付けて登録することができる携帯端末装置および携帯端末装置の動作制御方法を提供することができる。
【発明を実施するための最良の形態】
【００２６】
以下、本発明の実施形態の携帯端末装置について、図面を用いて説明する。なお、本実施形態では、開閉式携帯電話機を例にとって説明するが、他の形態の携帯電話機や携帯情報端末（ＰＤＡ：Personal Digital Assistant）等、種々の携帯端末装置に適用可能である。また、本実施形態では、開閉式携帯電話機の一例として、折畳式携帯電話機を例にとって説明する。
【００２７】
図４は、本実施形態に係る折畳式携帯電話機が閉じた状態を示す図であり、（ａ）は側面図、（ｂ）は正面図である。また、図５は、本実施形態に係る折畳式携帯電話機が開いた状態を示す図であり、（ａ）は側面図、（ｂ）は正面図である。
【００２８】
図４および図５に示すように、本実施形態の折畳式携帯電話機（以下、携帯電話機）は、第１の本体筐体１と、第２の本体筐体２と、第１の本体筐体１と第２の本体筐体２とを開閉自在に連結する連結部３と、連結部３近傍に設けられた伸縮自在なアンテナ６と、携帯電話機の開閉状態を検出する開閉状態検出部２１とを備える。開閉状態検出部２１は、例えば第１の本体筐体１に設けられたホール素子２１ａと、第２の本体筐体２に設けられた磁石２１ｂとを有して構成され、ホール素子２１ａが、磁石２１ｂの磁気検出して、検出信号を出力する。なお、ホール素子２１ａの代わりに磁気抵抗素子等を用いてもよい。
【００２９】
また、本実施形態の携帯電話機は、第２の本体筐体２の携帯電話機が閉じられた状態で第１の本体筐体１と対向する面（以下、第２の本体筐体２の内面）に設けられた第１の表示部４と、第２の本体筐体２の内面と反対側の第２の本体筐体２の外面に設けられた第２の表示部５とを有する。第１の表示部４および第２の表示部５は、例えば液晶表示装置等を有して構成される。
【００３０】
さらに、本実施形態の携帯電話機は、第１の本体筐体１の内部に設けられた加速度検出部７と、第１の本体筐体１の側面に設けられた加速度入力モードキー８を備える。加速度検出部７は、携帯電話機に加えられた加速度を検出するものである。加速度入力モードキー８は、加速度検出を行って、その検出された加速度に対応付けられた動作モードを実行する加速度動作実行モードを指定する指示を入力するためのものである。この加速度入力モードキー８は、第１の本体筐体１および第２の本体筐体２が開いている状態および閉じている状態のいずれの状態においても、外面に露出されている位置に設けられることで、いずれの状態でも加速度動作実行モードを開始することができる。
【００３１】
さらに、図５（ｂ）に示すように、本実施形態の携帯電話機は、携帯電話機のメインのメニュー項目群を表示させるためのメニューキー９と、メニュー項目群の中から所望の項目を選択および決定するためのナビゲーションキー１０と、メール操作のためのメニュー項目群を表示させるメールキー１１と、音声通話を行うための通話開始キー１２と、通話終了キー１３と、テンキー１４と、送話器（マイク）１５と、受話器（スピーカ）１６とを備え、それぞれ携帯電話機が閉じられた状態で第１の本体筐体１と対向する面（以下、第２の本体筐体２の内面）に設けられている。
【００３２】
ここで、第２の本体筐体２に設けられた加速度入力モードキー８と、第１の本体筐体１に設けられたメニューキー９、ナビゲーションキー１０、メールキー１１、通話開始キー１２、通話終了キー１３、およびテンキー１４とは、操作部２０に含まれるものとする。そして、その操作部２０の各キーは、一つのキー、または複数のキーの組み合わせにより、複数の動作モードを指定する指示が入力されるものとしてもよい。
【００３３】
図１は、本実施形態の折畳式携帯電話機の概略構成を示すブロック図である。図１に示すように、本実施形態の携帯電話機は、上述した第１の表示部４、第２の表示部５および加速度検出部７のほかに、Ａ／Ｄ変換器１７と、ＣＰＵ１８と、記憶部１９とを備える。
【００３４】
Ａ／Ｄ変換器１７は、加速度検出部７に接続され、加速度検出部７から出力されたアナログの加速度データパターンをデジタル変換し、デジタルデータを出力する。記憶部１９は、携帯電話機の各種動作（動作モード）を記憶する動作モード記憶部１９ａと、加速度データパターンに任意の動作モードを示す情報を対応づけて登録する加速度データパターン登録部１９ｂとを有する。
【００３５】
ＣＰＵ１８は折畳式携帯電話機の各種の動作を制御するもので、第１の表示部４、第２の表示部５、加速度検出部７、Ａ／Ｄ変換器１７、記憶部１９、操作部２０、開閉検出部２１に接続されて携帯電話機全体の動作を制御するものであり、所定のプログラムによって動作するプロセッサを主体に構成される。
【００３６】
図２は、本実施形態に係る携帯電話機における加速度動作登録モードを説明するためのフロー図である。ここで、加速度動作登録モードは、使用者により入力される加速度データパターンを記憶して、記憶された加速度データパターンに所望の動作モードを対応付けて加速度データパターン登録部１９ｂへ登録するためのモードである。
【００３７】
まず、操作部２０から加速度動作設定モードを指定する指示が入力されると、ＣＰＵ１８は、第１の表示部４に加速度動作設定モードを開始する旨の表示を行うとともに、加速度検出部７を起動させる（Ｓ２０１）。
【００３８】
この加速度動作設定モードは、例えば動作モードを選択するためのメニュー項目に設けられており、使用者は、携帯電話機の操作部２０のメニューキー９を用いてメニュー項目を表示させ、表示されたメニュー項目からナビゲーションキー１０等を用いて加速度動作設定モードを選択することで、加速度動作設定モードが開始される。
【００３９】
そして、使用者により加速度を伴った所望の動きが携帯電話機に加えられる（例えば、携帯電話機を左右に３回強く振る等）と、加速度検出部７によってその動きに応じたアナログの加速度データパターンが検出される（Ｓ２０２のＹＥＳ）。Ａ／Ｄ変換器１７は、検出された加速度データパターンをデジタルのデータパターンに変換してＣＰＵ１８に出力し、ＣＰＵ１８はそのデジタルのデータパターンを記憶部１９の加速度データパターン記憶部１９ｂに出力して記憶させる。
【００４０】
加速度データパターンが入力されると、ＣＰＵ１８は、第１の表示部４に、加速度データパターンが記憶された旨を示す表示情報とともに、入力された加速度データパターンに対応付けられる動作モードの選択を促す表示情報を表示させる。ここで、設定できる動作モードは携帯電話機の機能設定項目やアプリケーションの実施等のうち、関連づけるための動作モードが予め用意されており、具体的には「着信音量の調整」や「特定の相手の電話帳呼び出し」等がある。本実施形態では、使用者が操作部２０を用いて「着信音量の調整」を選択した場合を例にする。
【００４１】
操作部２０に「着信音量の調整」を選択する指示が入力されると、ＣＰＵ１８は、動作モード記憶部１９ａに記憶された「着信音量の調整」を参照し、さらに（１）「着信音量を大きくする」、（２）「着信音量を小さくする」、（３）「着信音量を最大にする」、（４）「着信音量を最小にする」の４つの項目から一つを選択するように第１の表示部４に表示させる。使用者はこの中から、ナビゲーションキー１０等の操作部２０を用いて所望の動作を選択および決定する。本実施形態では「着信音量を最小にする」が決定された場合について説明する。
【００４２】
ＣＰＵ１８は、操作部２０によって、「着信音量の調整」のなかの（４）「着信音量を最小にする」が決定されたことを検出すると（Ｓ２０４のＹＥＳ）、上記ステップＳ２０３にて記憶された加速度データパターンに、上記ステップＳ２０４にて選択された動作モードを示す情報を対応づけて、加速度データパターン登録部１９ｂに登録させる（Ｓ２０５）。ＣＰＵ１８は、この加速度データパターンと選択された動作モードを示す情報とを対応付けたデータテーブルを作成し、加速度データパターン登録部１９ｂに保持させてもよい。
【００４３】
そして、ＣＰＵ１８は、加速度データパターンと動作モードとの設定が終了したこと、および、加速度動作設定モードを終了させるか続行させるかを選択させるための表示情報を表示させる。使用者は、操作部２０を用いて加速度動作設定モードの終了か続行かを選択し、続行する場合（Ｓ２０６のＹＥＳ）はＳ２０２へ戻り、新たな加速度データパターンの登録および動作モードを対応付けて登録を行い、終了する場合（Ｓ２０６のＮＯ）は、加速度動作登録モードを終了させる。
【００４４】
このような動作を行うことにより、使用者が独自の加速度データパターンを登録できるとともに、この加速度データパターンに所望の動作モードを対応付けて登録することができる。なお、以上説明した加速度動作登録モードは、携帯電話機５が開いている状態で行うことを想定して記載したが、携帯電話機が閉じている状態で行ってもよい。その場合、加速度動作登録モードを指定する指示および対応付ける動作モードを指定する指示を入力するための操作部を、携帯電話機が閉じている状態で露出するところに設け、また、登録のための表示は第２の表示部５に表示させればよい。
【００４５】
図３は、本実施形態に係る携帯電話機における加速度動作実行モードを説明するためのフロー図である。まず、図５に示すように携帯電話機が開いた状態における加速度動作実行モードを説明する。
【００４６】
携帯電話機を開いた状態では開閉状態検出部２１のホール素子２１ａは磁石２１ｂの磁気を検出していない。ＣＰＵ１８は開閉状態検出部２１からの磁気検出信号が入力されていないことから、携帯電話機が開いている状態であると判断する。その状態で、使用者が加速度入力モードキー８を押下すると、ＣＰＵ１８は加速度加速度動作実行モードが開始されたと判断し、第１の表示部４に加速度動作実行モードを開始する旨の表示を行うとともに、加速度検出部７を起動させる（Ｓ３０１）。
【００４７】
この状態で使用者が「着信音量を最小にする」という動作モードを実行するために、例えば携帯電話機を左右に３回強く振る等の動きが携帯電話機に加えられると、加速度検出部７はその動きを検出して、その動きに応じたアナログの加速度データパターンをＡ／Ｄ変換器１７へ出力する（Ｓ３０２のＹＥＳ）。そして、Ａ／Ｄ変換器１７は、入力された加速度データパターンをデジタルのデータに変換してＣＰＵ１８に出力する。
【００４８】
ＣＰＵ１８は、入力された加速度データパターンと加速度データパターン登録部１９に登録されているデータパターンとの比較を行い、ある一定の誤差範囲内で一致するデータパターンが存在するかを判別する（Ｓ３０３）。そして、ＣＰＵ１８は、ある一定の誤差範囲内で一致するデータパターンが見つかれば（Ｓ３０４のＹＥＳ）、その一致するデータパターンの中で、検出された加速度データパターンに最も近いパターンを有する加速度データパターンに対応付けられている動作モードに関連した情報に基づいてその動作モードを特定するとともに（この例では「着信音量を最小にする」）、その動作モードを実行する旨の表示を第１の表示部４に表示させるとともに、その動作モードを動作モード記憶部１９ａから読み出して実行する（Ｓ３０５）。
【００４９】
一方、一致するデータパターンが見つからなければ（Ｓ３０４のＮＯ）、再度加速度の入力を要求する表示を第１の表示部４にて行い（Ｓ３０６）、ステップＳ３０２へ戻る。
【００５０】
次に、図４に示すように携帯電話機を閉じた状態における加速度動作実行モードについて説明する。
【００５１】
携帯電話機が閉じている状態では、開閉状態検出部２１のホール素子２１ａは磁石２１ｂの磁気を検出するので、その検出信号をＣＰＵ１８に出力する。ＣＰＵ１８は、開閉状態検出部２１から出力される検出信号に基づいて、携帯電話機が閉じている状態であると判断する。
【００５２】
携帯電話機が閉じている場合の加速度動作実行モードの処理は、携帯電話機が開いている場合の加速度動作実行モードの処理とほぼ同様であるが、ＣＰＵ１８は、ステップＳ３０１およびステップ３０５ならびにステップＳ３０６における表示情報を第２の表示部５に表示させる。閉状態において隠れてしまう第１の表示部４ではなく、閉状態においても露出する第２の表示部５が表示情報を表示することで、使用者は、携帯電話機が閉じている状態においても加速度動作モードの実行開始を示す表示や実行する動作モードの表示、再度加速度入力を要求する表示の確認を行うことができる。
【００５３】
このような本発明の実施形態の携帯端末装置によれば、加速度動作登録モードが設定された状態において、使用者により任意の加速度が加えられ、かつ携帯端末装置が有する「着信音量の調整」や「特定の相手の電話帳呼び出し」等の動作モードの中より任意の一つが選択されると、加えられた加速度のデータパターンと任意に選択された前記動作モードとを対応付けて記憶部１９に登録させる。この構成により、複数の加速度パターンとそれに対応付けられた特定の動作モードが予め設定されている携帯端末装置のように、使用者に予め設定されている加速度パターンそれぞれを実現するための具体的な携帯端末装置の動きをマニュアル等で伝える必要がなくなり、使用者が携帯電話機の動作モードに対応付ける加速度のパターンを自由に設定でき、使用者にとって有益なものとなる。
【００５４】
また、加速度動作実行モードにおいて、携帯端末装置に加速度（所望の動作モードに対応付ける際に入力した加速度に相当する動き）を加えると、加速度検出部７によって検出される加速度のデータパターンと記憶部１９に記憶されているデータパターン群とを比較し、ある一定の誤差範囲内で最も一致するデータパターンを前記記憶部１９より見つけ出し、そのデータパターンに関連づけられている動作モードを実行する。この構成により、実使用時に携帯端末機に意図する加速度を加えるだけで、関連づけた所望の動作モードを実施することができる。
【００５５】
また、携帯端末装置を閉じた状態であっても、携帯電話機に加速度を加えることにより、そのデータパターンに関連づけられている動作モードを実施可能とすることにより、携帯端末装置を閉じたままでも様々な動作モードを実施することができる。
【００５６】
また、携帯端末装置を閉じた状態であっても、加速度検出部７を起動する（有効にする）ための加速度入力モードキー８を備えることにより、閉じた状態で意図する加速度を加えることで関連づけた動作モードの実施を行いたいときは、前記加速度入力モードキー８を操作することのみで加速度動作実行モードにすることができる。
【産業上の利用可能性】
【００５７】
本発明は、使用者自身によって入力される任意の加速度のデータパターンに、所望の動作モードを対応付けて登録することができる効果を有し、携帯電話機等の携帯端末装置および携帯端末装置の動作制御方法等に有用である。
【図面の簡単な説明】
【００５８】
【図１】本実施形態の折畳式携帯電話機の概略構成を示すブロック図
【図２】本実施形態に係る携帯電話機における加速度動作登録モードを説明するためのフロー図
【図３】本実施形態に係る携帯電話機における加速度動作実行モードを説明するためのフロー図
【図４】本実施形態に係る折畳式携帯電話機が閉じた状態を示す図であり、（ａ）は側面図、（ｂ）は正面図
【図５】本実施形態に係る折畳式携帯電話機が開いた状態を示す図であり、（ａ）は側面図、（ｂ）は正面図
【符号の説明】
【００５９】
１    第１の本体筐体
２    第２の本体筐体
３    連結部
４    第１の表示部
５    第２の表示部
６    アンテナ
７    加速度検出部
８    加速度入力モードキー
９    メニューキー
１０  ナビゲーションキー
１１  メールキー
１２  通話開始キー
１３  通話終了キー
１４  テンキー
１５  送話器（マイク）
１６  受話器（スピーカ）
１７  Ａ／Ｄ変換器
１８  ＣＰＵ
１９  記憶部
１９ａ  動作モード記憶部
１９ｂ  加速度データパターン記憶部
２０  操作部
２１  開閉検出部
２１ａ  ホール素子
１ｂ  磁石
【図１】
2005167777.tif 000003
【図２】
2005167777.tif 000004
【図３】
2005167777.tif 000005
【図４】
2005167777.tif 000006
【図５】
2005167777.tif 000007